(57)【要約】【課題】  腹回りの大きさを直感的に認識できるようにした褌を提供すること。【解決手段】  覆い布（１１）の端部にバンド挿通部（１１Ａ）を袋縫いし、該バンド挿通部にはゲージバンド（１２）を挿通し、該ゲージバンドは一端部にフック（１２Ａ）を取付けるとともに、上記ゲージバンドの他端側にはゲージ（１２Ｂ）を設け、該ゲージには上記フックからの長さを示す目盛りを設け、目盛りには複数のフック受け（１２Ｃ）を設け、上記フックを引っ掛けたフック受けから腹回りの大きさが分かるようになした。【選択図】図１
2012072532.tif 000002
【特許請求の範囲】
【請求項１】
覆い布（１１）の端部にバンド挿通部（１１Ａ）を袋縫いし、該バンド挿通部（１１Ａ）にはゲージバンド（１２）を挿通し、該ゲージバンド（１２）は一端部にフック（１２Ａ）を取付けるとともに、上記ゲージバンド（１２）の他端側にはゲージ（１２Ｂ）を設け、該ゲージ（１２Ｂ）には上記フック（１２Ａ）からの長さを示す目盛りを設け、目盛りには複数のフック受け（１２Ｃ）を設け、上記フック（１２Ａ）を引っ掛けたフック受け（１２Ｃ）から腹回りの大きさが分かるようになしたことを特徴とする褌。
【請求項２】
ゲージバンド（１２）のゲージ（１２Ｃ）にはメタボリックシンドロームの診断基準の位置に目印を入れられている請求項１記載の褌。
【発明の詳細な説明】
【技術分野】
【０００１】  本発明は褌に関し、特に腹回りの大きさを直感的に認識できるようにした褌に関する。
【背景技術】
【０００２】  一般に褌は通気性と脱着性に優れ、その愛好家は多い。また、自力で身体を動かすことが難しく、排尿排便の介助を必要とする場合にも褌を使用することがある。【０００３】  従来の褌は、覆い布の端部に紐を縫い付け、紐を腰回りに廻して結び、覆い布を臀側から股間に通し、腹側の紐に通して前に垂らすようになっている（特許文献１）。【０００４】  また、覆い布の端部を袋縫いし、紐を挿通するようにした褌も知られている（特許文献２、特許文献３）。
【先行技術文献】
【特許文献】
【０００５】
【特許文献１】  登録実用新案第３１２８５２３号公報
【特許文献２】  特開２００６−９２２２号公報
【特許文献３】  登録実用新案第３０１４６５８号公報
【発明の開示】
【発明が解決しようとする課題】
【０００６】  わが国の死亡の２／３近くの原因が糖尿病、脳卒中、心臓病など、いわゆる生活習慣病といわれ、生活習慣病を抑制することが医療上、重要であり、国民の各自の自覚を求めることが行われている。【０００７】  生活習慣病の１つの兆候として、いわゆるメタボリックシンドローム（内臓脂肪症候群）を診断の目安とすることが厚生労働省の指針で示されている。具体的には、男性の場合には腹回りが８５ｃｍ、女性の場合には９０ｃｍを超えると、メタボリックシンドローム又はその予備軍と診断される。【０００８】  本件発明はかかる状況において、メタボリックシンドロームの自己診断を直感的にできるようにした褌を提供することを課題とする。
【課題を解決するための手段】
【０００９】  本発明に係る褌は、覆い布の端部にバンド挿通部を袋縫いし、該バンド挿通部にはゲージバンドを挿通し、該ゲージバンドは一端部にフックを取付けるとともに、上記ゲージバンドの他端側にはゲージを設け、該ゲージには上記フックからの長さを示す目盛りを設け、目盛りには複数のフック受けを設け、上記フックを引っ掛けたフック受けから腹回りの大きさが分かるようになしたことを特徴とする。【００１０】  メタボリックシンドロームの診断基準、例えば男性用は８５ｃｍ、女性用は９０ｃｍの位置に目印を入れると、腹回りの大きさがより直感的に分かる。【００１１】  本発明に係る褌により、メタボリックシンドロームの兆候を直感的に自己診断でき、過食制限や運動の必要性を自覚させることに役立つ。【００１２】  また、本発明の褌は乳幼児、老人、病人などが使用することもできる。この場合、覆い布の腰回りの部分にフラップをつけ、フラップに締着テープを取付け、フラップを相互に適度な強さで安定に繋ぎ合わせることにより、乳幼児、老人、病人などの「紙おしめ」の代用として利用することができる。
【図面の簡単な説明】
【００１３】
【図１】  本発明にかかる褌の好ましい実施形態を示す図である。
【図２】  上記実施形態におけるゲージバントの例を示す図である。
【図３】  第２の実施形態を示す図である。
【発明を実施するための形態】
【００１４】  以下、本発明を図面に示す具体例に基づいて詳細に説明する。図１及び図２は本発明に係る褌の好ましい実施形態を示す。図において、褌１０は覆い布１１を備え、覆い布１１は矩形状の両側をユーザの股間に応じて凹状に形成した形状に製作され、覆い布１１の端部にはバンド挿通部１１Ａが袋縫いにて形成されている。
【００１５】  このバンド挿通部１１Ａにはゲージバンド１２が挿通され、ゲージバンド１２は例えば布製の帯を用いて製作され、一端部にはフック１２Ａがリベットなどによって固定され、ゲージバンド１２の他端側にはゲージ１２Ｂが設けられ、ゲージ１２Ｂにはフック１２Ａからの長さを示す目盛りが８０ｃｍから５ｃｍごとに入れられている。
【００１６】  また、ゲージバンド１２のゲージ１２Ｂには８０ｃｍから２．５ｃｍごとの各位置にフック受け１２Ｃがリベットなどによって取付けられ、又メタボリックシンドロームの診断基準を示す８５ｃｍの位置のフック受け１２Ｃは赤色に着色されている。
【００１７】  本例の褌を使用する場合、覆い布１１のバンド挿通部１１Ａを腰に当て、ゲージバンド１２を前方に回して適当なフック受け１２Ｃにフック１２Ａを引っ掛けた後、覆い布１１を股間に通してゲージバンド１２をくぐらせて前に垂らし、最後にフック１２Ａを適度な強さとなる位置のフック受け１２Ｃに引っ掛け直すと、褌を着用することができる。
【００１８】  本例の褌ではフック１２Ａを引っ掛けたフック受け１２Ｃを見ると、メタボリックシンドロームの診断基準、８５ｃｍを超えているか否かが直ぐに分かる。
【００１９】  図３は第２の実施形態を示し、乳幼児、老人、病人などが「紙おしめ」の代用として利用するできるようにした例である。図において図１及び図２と同一符号は同一又は相当部分を示す。本例では覆い布１１の腰回りの部分にフラップ１４を縫合によって取付け、フラップ１４に締着テープ１５Ａ、１５Ｂを縫合し、フラップ１４を相互に適度な強さで安定に繋ぎ合わせることができるようになっている。
【００２０】  また、乳児用の場合には覆い右１１には前に垂れる部分に金太郎、桃太郎、花柄などが模様１６を印刷などによって入れるようにすることもできる。
【符号の説明】
【００２１】１０      褌
１１      覆い布
１２      ゲージバンド
１２Ａ    フック
１２Ｂ    ゲージ
１２Ｃ    フック受け
１４      フラップ
１５Ａ、１５Ｂ      締着バンド
【図１】
2012072532.tif 000003
【図２】
2012072532.tif 000004
【図３】
2012072532.tif 000005
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
覆い布（１１）の端部にバンド挿通部（１１Ａ）を袋縫いし、該バンド挿通部（１１Ａ）には布製のゲージバンド（１２）を挿通し、該ゲージバンド（１２）は一端部にフック（１２Ａ）を取付けるとともに、上記ゲージバンド（１２）の他端側にはゲージ（１２Ｂ）を設け、該ゲージ（１２Ｂ）には上記フック（１２Ａ）からの長さを示す目盛りを設け、目盛りの各位置及び隣接する目盛りの中間にはフック受け（１２Ｃ）を設け、上記フック（１２Ａ）を引っ掛けたフック受け（１２Ｃ）から腹回りの大きさが分かるようになしたことを特徴とする褌。
【請求項２】
ゲージバンド（１２）のゲージ（１２Ｃ）にはメタボリックシンドロームの診断基準の位置に目印を入れられている請求項１記載の揮。